(57)【要約】【課題】収容物の収容を迅速に行うことができるマットを提供する。【解決手段】上下方向に貫通する十字状の切れ目１１を縦横に間隔を置いて格子状をなすように多数形成し、４つの切れ目１１，１１，１１，１１にて囲まれる略矩形状の部分を切り取ることができる切り取り部分１２を多数備え、該多数の切り取り部分１２のうちの特定の切り取り部分１２を切り取ることにより収容物１８，１９，２０を収容するための凹部Ａ１，Ａ２，Ａ３を形成可能にした。【選択図】  図３
0003177091.tif 000002
【実用新案登録請求の範囲】
【請求項１】
上下方向に貫通する十字状の切れ目を縦横に間隔を置いて格子状をなすように多数形成し、４つの切れ目にて囲まれる略矩形状の部分を切り取ることができる切り取り部分を多数備え、該多数の切り取り部分のうちの特定の切り取り部分を切り取ることにより収容物を収容するための凹部を形成可能にしたことを特徴とするマット。
【請求項２】
前記切れ目は、縦線及び該縦線と直交する横線とを有し、該縦線の長さと該横線の長さとが同一長さに設定されていることを特徴とする請求項１に記載のマット。
【請求項３】
前記略矩形状の部分を構成する４つの辺それぞれの辺方向中央部が、隣り合う他の略矩形状の部分と繋がっていることを特徴とする請求項１又は２に記載のマット。
【考案の詳細な説明】
【技術分野】
【０００１】
本考案は、収容物を収容することができるマットに関する。
【背景技術】
【０００２】
上記マットとしては、例えばウレタンフォームでなる平板状の部材に十字状の切れ目を縦横に形成したマットが既に提案されている。これは、横方向で隣り合う切れ目の形成位置が異なるように十字状の切れ目を千鳥状に配置したものである（例えば、特許文献１参照）。
【先行技術文献】
【特許文献】
【０００３】
【特許文献１】実公平０３−８６１８号公報
【考案の概要】
【考案が解決しようとする課題】
【０００４】
特許文献１では、収容物をマットにその上から押圧することによって、切れ目同士間の連結部分を引き千切って収容物が押圧しているマット部分を沈み込ませる。これによって、収容物を沈み込ませた状態でマットに収容することができる。
【０００５】
上記切れ目同士の連結部分は、４つの切れ目それぞれの先端が一部分に集合した部分にあるため、４つの方向に連結された状態になっている。このため、連結部分における連結強度が強く、収容物をマットの上から押圧しただけでは、連結部分を引き千切り難い。その結果、引き千切るための時間が多く必要になり、収容物の収容を迅速に行うことができない不都合があった。
【０００６】
そこで、本考案は、かかる事情に鑑みてなされたもので、収容物の収容を迅速に行うことができるマットを提供することを課題とする。
【課題を解決するための手段】
【０００７】
本考案に係るマットは、上下方向に貫通する十字状の切れ目を縦横に間隔を置いて格子状をなすように多数形成し、４つの切れ目にて囲まれる略矩形状の部分を切り取ることができる切り取り部分を多数備え、該多数の切り取り部分のうちの特定の切り取り部分を切り取ることにより収容物を収容するための凹部を形成可能にしたことを特徴としている。
【０００８】
本考案によれば、多数の切り取り部分のうちの特定の切り取り部分を切り取ることによって、収容物を収容可能な大きさの凹部を形成することができる。このとき、十字状の切れ目を格子状に形成することによって、縦方向及び横方向のそれぞれで隣り合う他の略矩形状の部分との連結のみであるため、十字状の切れ目を千鳥状に配置した場合の連結に比べて連結強度を弱くすることができ、切り取り部分を容易に切り取ることができる。そして、このように形成された凹部に収容物を収容することができる。
【０００９】
また、本考案に係るマットは、前記切れ目が、縦線及び該縦線と直交する横線とを有し、該縦線の長さと該横線の長さとが同一長さに設定されていることが好ましい。
【００１０】
かかる構成によれば、縦線の長さと横線の長さとが同一長さに設定されていることから、切り取り部分を正方形状にすることができ、あらゆる形状の収容物に対応させ易いという利点がある。
【００１１】
また、本考案に係るマットは、前記略矩形状の部分を構成する４つの辺それぞれの辺方向中央部が、隣り合う他の略矩形状の部分と繋がっていることが好ましい。
【考案の効果】
【００１２】
以上の如く、本考案に係るマットによれば、十字状の切れ目を格子状に形成することによって、収容物の収容を迅速に行うことができるマットを提供することができる。
【図面の簡単な説明】
【００１３】
【図１】本考案の第１実施形態のマットの斜視図を示す。
【図２】同マットの平面図を示す。
【図３】同マットに収容物を収容した状態の平面図を示す。
【図４】図３におけるＡ−Ａ線断面図を示す。
【図５】本考案の第２実施形態のマットの平面図を示す。
【図６】本考案の第３実施形態のマットの平面図を示す。
【図７】本考案の第４実施形態のマットの斜視図を示す。
【図８】同マットの平面図を示す。
【図９】本考案の第５実施形態のマットの平面図を示す。
【考案を実施するための形態】
【００１４】
以下、本考案に係る第１実施形態のマットについて、図面に基づいて説明する。このマットは、収容物を収容して整理整頓するために用いられる。
【００１５】
図１に、同一の形状でかつ同一の大きさ（面積）を有する２枚のマット１，２を上下方向で重ね合わせたものを示している。マット１，２は、共に略長方形状に構成され、４つの角部がアール形状に形成されている。また、マット１，２は、発泡ポリエチレンから構成されているが、発泡ポリスチレン、発泡ポリプロピレン等の各種発泡性合成樹脂から構成することもできる。マット１，２の材料として、前記発泡性合成樹脂を用いることによって、軽量化を図ることができる利点があるが、各種の合成樹脂を用いてもよい。
【００１６】
上側に位置するマット１は、図１及び図２に示すように、上下方向に貫通する十字状の第１切れ目１１を縦横に間隔を置いて格子状をなすように多数形成し、４つの第１切れ目１１，１１，１１，１１にて囲まれる多数の略矩形状の部分のうちの特定の部分を切り取ることができる正方形状の第１切り取り部分１２を多数備えている。
【００１７】
各第１切れ目１１は、直線状の縦線１１Ａ及び縦線１１Ａと直交する直線状の横線１１Ｂとを有し、縦線１１Ａの長さと横線１１Ｂの長さとが同一長さに設定されている。第１切れ目１１は、厚みが１ｍｍ前後の切断刃によりマット１に対して上方から垂直に下降させてマット１を十字状に切断することによって形成される。
【００１８】
外周縁に位置する第１切れ目１１の外側部分の４つの角部には、鉤状の第２切れ目１３が形成され、それら４つの第２切れ目１３，１３，１３，１３の間に所定間隔を置いて多数のＴ字状の第３切れ目１４が形成されている。このように第２切れ目１３及び第３切れ目１４を形成することによって、マット１の外周縁にも第１切り取り部分１２と同一形状（正方形状）で同一の大きさの略矩形状の第２切り取り部分１５を備えさせることができる。尚、第１切り取り部分１２及び第２切り取り部分１５の大きさ及び個数は、自由に変更可能である。
【００１９】
略矩形状の第１切取り部分１２及び第２切取り部分１５を構成する４つの辺それぞれの辺方向中央部に、切れ目が形成されていない部分、つまり繋がっている連結部１６が形成されている。具体的には、第１切取り部分１２を構成する４つの辺それぞれの辺方向中央部が、隣り合う第１切り取り部分１２及び第２切り取り部分１５と繋がっている。また、第２切取り部分１５を構成する４つの辺それぞれの辺方向中央部が、隣り合う第２切り取り部分１５及びマット１の外周縁１７と繋がっている。尚、連結部１６の長さは、特に限定されないが、第１切取り部分１２又は第２切取り部分１５を切り取る際に、大きな切り取り力を要しない程度に設定することになる。
【００２０】
４個の連結部１６は、切れ目１１，１３，１４の形成方向において同一長さに設定されている。従って、連結長さが異なっていることにより切り取り難い連結部がある場合に比べて、第１切取り部分１２及び第２切取り部分１５の切り取り作業をやり易くすることができ、切り取り作業を予定通りスムーズに行うことができる。
【００２１】
下側に位置するマット２は、図３に示すように上側に位置するマット１に形成された凹部Ａ１，Ａ２，Ａ３に収納された収容物１８，１９，２０を載置支持するために設けられているが、省略することも可能である。また、このマット２は、前記切れ目１１，１３，１４が形成されていないものであるが、場合によっては上側に位置するマット１と同一のものであってもよい。また、上側に位置するマット１と下側に位置するマット２とを同一の形状で同一の大きさのものから構成したが、異なる形状であってもよいし、大きさも異なる構成であってもよい。また、上側に位置するマット１と下側に位置するマット２の厚みは、同一であってもよいし、異なる厚みであってもよい。
【００２２】
図２において破線で示されている領域Ａに図３に示す収容物の一例である鋏１８を収容するために、領域Ａの８個の第１切り取り部分１２及び５個の第２切り取り部分１５を切り取って凹部Ａ１を形成する。また、図２において破線で示されている領域Ｂに図３に示す収容物の一例であるカッターナイフ１９を収容するために、領域Ｂの５個の第１切り取り部分１２及び１個の第２切り取り部分１５を切り取って凹部Ａ２を形成する。また、図２において破線で示されている領域Ｃに図３に示す収容物の一例であるスティック糊２０を収容するために、領域Ｃの４個の第１切り取り部分１２を切り取って凹部Ａ３を形成する。
【００２３】
そして、図４に、スティック糊２０が凹部Ａ３内に入り込んで収容されている状態を示している。ここでは、凹部Ａ３の高さ方向においてスティック糊２０の半分程度が入り込むようにマット１の厚みを設定しているが、マット１の厚みはどのような厚みに設定してもよい。
【００２４】
多数の切り取り部分１２，１５のうちの特定の切り取り部分を切り取ることによって、収容物１８，１９，２０を収容可能な大きさの凹部Ａ１，Ａ２，Ａ３を形成することができる。このとき、十字状の切れ目１１を格子状に形成することによって、縦方向及び横方向のそれぞれで隣り合う他の略矩形状１１の部分との連結のみであるため、十字状の切れ目１１を千鳥状に配置した場合の連結に比べて連結強度を弱くすることができ、切り取り部分１２を容易に切り取ることができる。また、縦線１１Ａの長さと横線１１Ｂの長さとが同一長さに設定されていることから、切り取り部分１２を正方形状にすることができ、あらゆる形状の収容物に対応させ易い。
【００２５】
次に、本考案の第２実施形態のマットについて説明する。図５では、図２で示した第２切れ目１３及び第３切れ目１４を省略したものである。つまり、第１切れ目１１のみを形成した場合を示している。説明していない他の構成は、図２のマット１と同一構成である。
【００２６】
また、本考案の第３実施形態のマットを図６に示している。このマットは、４つのコーナー部にＬ字状の第２切れ目２１を形成し、４つの第２切れ目２１間に直線状の第３切れ目２２を形成している。このように第２切れ目２１と第１切れ目１１との間に第１切取り部分１２よりも小さな正方形状の第２切取り部２３が形成され、第３切れ目２２と２つの第１切れ目１１，１１との間に第１切取り部分１２よりも小さく第２切取り部２３よりも大きな長方形状の第３切取り部２４を形成できる。このように外周部分に大きさの異なる切り取り部２３，２４を形成することによって、収容物の大きさに合わせることができる凹部を形成し易い利点がある。
【００２７】
また、本考案の第４実施形態のマットを図７及び図８に示している。このマットは、図２及び図３で示したマット１の環状の外周縁１７を切り落としたものである。図７では、図１と同様に本考案の上側のマット１の下に、同一の形状で同一の大きさの下側のマット２を重ね合わせているが、省略してもよい。このように外周縁１７を省略することによって、その分、材料費を低減することができるだけでなく、連結部１６を千切ってマット１を所望の大きさに直ちにすることができる利点がある。また、外周縁に位置する切り取り部分１５の連結部１６の数が、これよりも内側に位置する切り取り部１２の連結部１６の数よりも少なくなり、千切りやすくなる利点がある。具体的には、マットの４つの角部に位置する切り取り部１５の連結部１６の数が２個で、残る切り取り部１５の連結部１６の数が３個である。これに対して内側に位置する切り取り部１２の連結部１６の数が４個になっている。
【００２８】
また、本考案の第５実施形態のマットを図９に示している。このマットは、図６で示したマット１の環状の外周縁１７を切り落としたものである。図９では、外周縁に２種類の大きさの切り取り部２３，２４が形成され、これよりも内側に形成される切り取り部１２が外周縁の切り取り部２３，２４よりも大きな面積を有する構成となっている。２種類の大きさの切り取り部２３，２４は、４つの角部に位置する正方形状の第１切り取り部２３と、第１切り取り部２３，２３間に配置された長方形状の多数の第２切り取り部２４とである。この場合も、前述のように外周縁１７を省略することによって、その分、材料費を低減することができるだけでなく、連結部１６を千切ってマット１を所望の大きさに直ちにすることができる利点がある。また、外周縁に位置する切り取り部分２３，２４の連結部１６の数が、これよりも内側に位置する切り取り部１２の連結部１６の数よりも少なくなり、千切りやすくなる利点がある。具体的には、マットの４つの角部に位置する切り取り部２３の連結部１６の数が２個で、残る切り取り部２４の連結部１６の数が３個である。これに対して内側に位置する切り取り部１２の連結部１６の数が４個になっている。第１実施形態から第５実施形態のマットの大きさは、縦３３０ｍｍ×横４００ｍｍ（ＳＳサイズ）、縦３３０ｍｍ×横５００ｍｍ（Ｓサイズ）、縦４００ｍｍ×横５００ｍｍ（Ｍサイズ）、縦５００ｍｍ×横６００ｍｍ（Ｌサイズ）、縦５００ｍｍ×横８００ｍｍ（ＬＬサイズ）、縦７００ｍｍ×横１２００ｍｍ（最大サイズ）など、どのようなサイズであってもよい。またそのマットの厚みは、例えば、１５ｍｍ〜１００ｍｍの任意の厚みに設定してもよいし、場合によっては、１００ｍｍ以上の厚みに設定してもよい。
【００２９】
尚、本考案に係るマットは、上記実施形態に限定されるものではなく、本考案の要旨を逸脱しない範囲で種々の変更が可能である。
【００３０】
また、前記実施形態では、全ての十字状の切れ目１１を同一寸法にしたが、一部異なる寸法にして収容物の大きさに合わせることができる凹部を更に形成し易いように構成することもできる。また、切れ目１１の個数は自由に変更可能である。
【００３１】
また、前記実施形態では、各種の文具を整理した状態で収容することができる文具収納用マットとして説明したが、各種の工具を整理した状態で収容することができる工具収納用マットの他、ゲーム用のカセットを整理した状態で収容することができるゲーム収納用マットなどであってもよい。また、旅行バッグ（アタッシュケースを含む）に旅行に必要な小物を整理して収容するための本考案のマットを備えさせてもよいし、化粧箱に化粧品を整理して収容するための本考案のマットを備えさせる、あるいは展示用の透明又は半透明のケース内に展示品を整理して収容することで展示可能な本考案のマットを備えさせてもよいし、又、一般に販売されている商品をケース内に固定する為に本考案のマットを備えさせる事も可能と考えられる。
【符号の説明】
【００３２】
１，２…マット、１１，１３，１４，２１，２２…切れ目、１１Ａ…縦線、１１Ｂ…横線、１２，１５，２３，２４…切取り部分、１６…連結部、１７…外周縁、１８…鋏（収容物）、１９…カッターナイフ（収容物）、２０…スティック糊（収容物）
【図１】
0003177091.tif 000003
【図２】
0003177091.tif 000004
【図３】
0003177091.tif 000005
【図４】
0003177091.tif 000006
【図５】
0003177091.tif 000007
【図６】
0003177091.tif 000008
【図７】
0003177091.tif 000009
【図８】
0003177091.tif 000010
【図９】
0003177091.tif 000011